(57)【要約】【課題】  画像データや音声データを簡単な操作で手軽に鑑賞することができるようにするためのプログラムを記憶したメモリ装置、記録媒体、そのプログラム、データ処理システム及びデータ処理方法を提供すること。【解決手段】  ＰＣ１に再生プログラム１６と自動起動プログラムとをインストールするだけで、その後は、ＰＣ１のＵＳＢインターフェース６にメモリ装置１０が接続されたときに、自動的に再生プログラム１６を起動し、メモリ装置１０に記憶された画像データ等を再生することができる。つまり、例えばテレビのスイッチを入れる感覚で簡単に画像データ等の鑑賞することができ、非常に便利である。【選択図】  図１
2005056237.tif 000002
【特許請求の範囲】
【請求項１】
可搬性のメモリ装置であって、
（ａ）ホスト機器に設けられた該ホスト機器との間でデータの入出力が可能なインターフェースに接続可能な端子と、
（ｂ）画像及び音声のうち少なくとも一方のデータと、
前記ホスト機器が前記画像及び音声のうち少なくとも一方のデータを再生するための再生プログラムデータと、
前記端子が前記インターフェースに接続されたことを前記ホスト機器が検出したときの検出信号に基づき、該ホスト機器が前記再生プログラムデータのプログラムを実行するための実行プログラムデータとを記憶する記憶素子と
を具備することを特徴とするメモリ装置。
【請求項２】
請求項１に記載のメモリ装置であって、
前記ホスト機器が、予め、少なくとも前記再生プログラムデータと前記実行プログラムデータとを記憶している場合に、
前記記憶素子に、前記画像及び音声のうち少なくとも一方のデータが記憶された状態で前記端子が前記インターフェースに接続されたとき、前記ホスト機器が、前記検出信号に基づき前記実行プログラムを起動することで前記記憶素子に記憶された前記画像及び音声のうち少なくとも一方のデータを読み出して再生することを特徴とするメモリ装置。
【請求項３】
データの入出力が可能なインターフェースを有するホスト機器に、
（ａ）前記インターフェースに可搬性のメモリ装置の端子が接続されたことを検出するステップと、
（ｂ）前記検出信号に基づき前記メモリ装置に記憶された画像及び音声のうち少なくとも一方のデータを再生するための再生プログラムデータのプログラムを実行するステップと
を実行させるためのプログラムを記録した記録媒体。
【請求項４】
請求項３に記載の記録媒体であって、
前記ステップ（ａ）の前に、前記ホスト機器が前記画像及び音声のうち少なくとも一方のデータと前記再生プログラムデータと前記実行プログラムデータとを記憶している場合に、
前記ステップ（ａ）の前に、前記メモリ装置の端子が前記インターフェースに接続された状態で、前記ホスト機器に、
（ｃ）前記画像及び音声のうち少なくとも一方のデータを前記メモリ装置に出力するステップと、
（ｄ）前記ステップ（ｃ）と同時、途中、または後に、前記再生プログラムデータと前記実行プログラムデータとを前記メモリ装置に出力するように制御するステップと
をさらに実行させるためのプログラムを記録した記録媒体。
【請求項５】
データの入出力が可能なインターフェースを有するホスト機器に、
（ａ）前記インターフェースに可搬性のメモリ装置の端子が接続されたことを検出するステップと、
（ｂ）前記検出信号に基づき前記メモリ装置に記憶された画像及び音声のうち少なくとも一方のデータを再生するための再生プログラムデータのプログラムを実行するステップと
を実行させるためのプログラム。
【請求項６】
（ａ）データの入出力が可能なインターフェースを有するホスト機器と、
（ｂ）可搬性のメモリ装置であって、
前記インターフェースに接続可能な端子と、
画像及び音声のうち少なくとも一方のデータと、前記ホスト機器が前記画像及び音声のうち少なくとも一方のデータを再生するための再生プログラムデータと、前記端子が前記インターフェースに接続されたことを前記ホスト機器が検出したときの検出信号に基づき、該ホスト機器が前記再生プログラムデータのプログラムを実行するための実行プログラムデータとを記憶する記憶素子と
を有するメモリ装置と
を具備することを特徴とするデータ処理システム。
【請求項７】
請求項６に記載のデータ処理システムであって、
前記ホスト機器にネットワークを介して接続された外部機器をさらに具備し、
前記ホスト機器は、
前記記憶素子に、前記画像及び音声のうち少なくとも一方のデータが記憶された状態で前記端子が前記インターフェースに接続されたとき、前記検出信号に基づき前記実行プログラムを起動するとともに、当該画像及び音声のうち少なくとも一方のデータを前記ネットワークを介して前記外部機器に出力するように制御する手段を有することを特徴とするデータ処理システム。
【請求項８】
（ａ）データの入出力が可能なインターフェースを有するホスト機器が、該インターフェースに可搬性のメモリ装置の端子が接続されたことを検出するステップと、
（ｂ）前記ホスト機器が、前記検出信号に基づき前記メモリ装置に記憶された画像及び音声のうち少なくとも一方のデータを再生するための再生プログラムデータのプログラムを実行するステップと
を具備することを特徴とするデータ処理方法。
【発明の詳細な説明】
【技術分野】
【０００１】
本発明は、例えば静止画や動画のデータ、あるいは音声のデータを処理するためのプログラムを記憶したメモリ装置、記録媒体、そのプログラム、データ処理システム及びデータ処理方法に関する。
【背景技術】
【０００２】
従来から、ディジタルカメラ等で撮像した画像をＰＣ（Personal Computer）等を用いてモニターで鑑賞する場合に、簡単にユーザがディジタルカメラからＰＣへ画像データを転送してその画像を鑑賞することができる技術がある。この技術では、ＰＣで画像ファイルを再生、編集等するためのプログラムデータを予めディジタルカメラ側に記憶させておくことによって、ＰＣへの当該プログラムのインストールを必要としない構成となっている（例えば、特許文献１参照。）。
【０００３】
また、ディジタルカメラで撮像したメモリカード内の画像データを、そのメモリカードがＰＣ等に接続されたことを基に、物理的に離れた場所に存在する蓄積サーバに自動転送するという技術もある（例えば、特許文献２参照。）。  
【特許文献１】特開平０９−３１２７９１号公報（段落[００２３]、図１）
【特許文献２】特開２００２−３２３０２号公報（段落[００６２]〜[００６７]、図５等）
【発明の開示】
【発明が解決しようとする課題】
【０００４】
しかしながら、上記特許文献１に記載のシステムでは、当該ディジタルカメラで撮像した画像を鑑賞する場合には、ユーザは、ＰＣ等に自動インストールされた上記画像再生用のプログラムを起動させなければならないという不便がある。画像や音楽をＰＣで鑑賞する場合には、例えばテレビで映画等を鑑賞する場合と同様に、手軽に鑑賞できるようになればユーザにとって非常に利便性が高くなることが予想される。
【０００５】
以上のような事情に鑑み、本発明の目的は、画像データや音声データを簡単な操作で手軽に鑑賞することができるようにするためのプログラムを記憶したメモリ装置、記録媒体、そのプログラム、データ処理システム及びデータ処理方法を提供することにある。
【課題を解決するための手段】
【０００６】
上記目的を達成するため、本発明に係るメモリ装置は、可搬性のメモリ装置であって、（ａ）ホスト機器に設けられた該ホスト機器との間でデータの入出力が可能なインターフェースに接続可能な端子と、（ｂ）画像及び音声のうち少なくとも一方のデータと、前記ホスト機器が前記画像及び音声のうち少なくとも一方のデータを再生するための再生プログラムデータと、前記端子が前記インターフェースに接続されたことを前記ホスト機器が検出したときの検出信号に基づき、該ホスト機器が前記再生プログラムデータのプログラムを実行するための実行プログラムデータとを記憶する記憶素子とを具備する。
【０００７】
本発明において、ホスト機器とはコンピュータの機能を有する機器である。また、画像データは静止画ファイルや動画ファイルを含む。以下、同様である。
【０００８】
本発明では、一度ホスト機器に再生プログラムと実行プログラムとをインストールするだけで、その後は、そのホスト機器のインターフェースにメモリ装置の端子が接続されたときに、自動的に再生プログラムを起動し、メモリ装置に記憶された画像データ等を再生することができる。これにより画像データ等を鑑賞するときの利便性を向上させることができる。
【０００９】
一方、ホスト機器に再生プログラムデータと実行プログラムデータとを記憶していない場合には、メモリ装置がこれらのプログラムデータをホスト機器に自動または手動でインストールするプログラムを記憶するようにしてもよい。このようにすれば、メモリ装置の端子がインターフェースに接続されたことをホスト機器が検出したことに基づき、当該インストールプログラムを実行し再生プログラムと実行プログラムとをインストールすることができる。またこれにより、ホスト機器とは別の機器でも、再生プログラムデータと実行プログラムデータとを用いてメモリ装置に記憶された画像データ等を再生することができる。
【００１０】
本発明の一の形態によれば、前記ホスト機器が、予め、少なくとも前記再生プログラムデータと前記実行プログラムデータとを記憶している場合に、前記記憶素子に、前記画像及び音声のうち少なくとも一方のデータが記憶された状態で前記端子が前記インターフェースに接続されたとき、前記ホスト機器が、前記検出信号に基づき前記実行プログラムを起動することで前記記憶素子に記憶された前記画像及び音声のうち少なくとも一方のデータを読み出して再生する。
【００１１】
本発明に係る記録媒体は、データの入出力が可能なインターフェースを有するホスト機器に、（ａ）前記インターフェースに可搬性のメモリ装置の端子が接続されたことを検出するステップと、（ｂ）前記検出信号に基づき前記メモリ装置に記憶された画像及び音声のうち少なくとも一方のデータを再生するための再生プログラムデータのプログラムを実行するステップとを実行させるためのプログラムを記録したものである。
【００１２】
本発明の一の形態によれば、前記ステップ（ａ）の前に、前記ホスト機器が前記画像及び音声のうち少なくとも一方のデータと前記再生プログラムデータと前記実行プログラムデータとを記憶している場合に、前記ステップ（ａ）の前に、前記メモリ装置の端子が前記インターフェースに接続された状態で、前記ホスト機器に、（ｃ）前記画像及び音声のうち少なくとも一方のデータを前記メモリ装置に出力するステップと、（ｄ）前記ステップ（ｃ）と同時、途中、または後に、前記再生プログラムデータと前記実行プログラムデータとを前記メモリ装置に出力するように制御するステップとをさらに実行させる。これにより、ユーザがホスト機器に記憶された画像データ等をメモリ装置に出力する際に、ユーザが認識せずとも再生プログラムデータ及び実行プログラムデータもメモリ装置に出力することができる。したがって、例えばメモリ装置がこれらのプログラムデータをホスト機器に自動または手動でインストールするプログラムを記憶するようにすれば次のように処理することができる。すなわち、ユーザが、ホスト機器とは別の機器でメモリ装置に記憶された画像等を鑑賞したいと思った場合に、そのメモリ装置の端子がインターフェースに接続されたことを当該別の機器が検出したことに基づき、当該インストールプログラムを実行し再生プログラムと実行プログラムとを当該別の機器にインストールすることができる。これにより、当該別の機器で、メモリ装置に記憶された画像データ等を読み出して再生することができ便利である。
【００１３】
本発明に係るデータ処理システムは、（ａ）データの入出力が可能なインターフェースを有するホスト機器と、（ｂ）可搬性のメモリ装置であって、前記インターフェースに接続可能な端子と、画像及び音声のうち少なくとも一方のデータと、前記ホスト機器が前記画像及び音声のうち少なくとも一方のデータを再生するための再生プログラムデータと、前記端子が前記インターフェースに接続されたことを前記ホスト機器が検出したときの検出信号に基づき、該ホスト機器が前記再生プログラムデータのプログラムを実行するための実行プログラムデータとを記憶する記憶素子とを有するメモリ装置とを具備する。
【００１４】
本発明では、例えばホスト機器が予め再生プログラムデータと実行プログラムデータとを記憶しておけば、ホスト機器のインターフェースにメモリ装置の端子が接続されたときに、自動的に再生プログラムを起動し画像データ等を再生することができる。これにより画像データ等を鑑賞するときの利便性を向上させることができる。
【００１５】
本発明の一の形態によれば、前記ホスト機器にネットワークを介して接続された外部機器をさらに具備し、前記ホスト機器は、前記記憶素子に、前記画像及び音声のうち少なくとも一方のデータが記憶された状態で前記端子が前記インターフェースに接続されたとき、前記検出信号に基づき前記実行プログラムを起動するとともに、当該画像及び音声のうち少なくとも一方のデータを前記ネットワークを介して前記外部機器に出力するように制御する手段を有する。これにより、例えば外部機器が再生プログラムデータと実行プログラムデータとを記憶していれば、ホスト機器にメモリ装置を接続するのみで外部機器で画像等を鑑賞することができる。
【００１６】
本発明に係るデータ処理方法は、（ａ）データの入出力が可能なインターフェースを有するホスト機器が、該インターフェースに可搬性のメモリ装置の端子が接続されたことを検出するステップと、（ｂ）前記ホスト機器が、前記検出信号に基づき前記メモリ装置に記憶された画像及び音声のうち少なくとも一方のデータを再生するための再生プログラムデータのプログラムを実行するステップとを具備する。
【発明の効果】
【００１７】
以上のように、本発明によれば、画像データや音声データを簡単な操作で手軽に鑑賞することができる。
【発明を実施するための最良の形態】
【００１８】
以下、本発明の実施の形態を図面に基づき説明する。
【００１９】
図１は本発明の一実施の形態に係るデータ処理システムの構成を示す図である。このデータ処理システムは例えばホスト機器としてＰＣ１を有している。ＰＣ１は、演算処理等の統括的な制御を行うＣＰＵ（Central Processing Unit）１、ＣＰＵ２が処理するときの作業スペースとなるＲＡＭ（Random Access Memory）３やＯＳ（Operating System）２１等の所定のソフトウェアを保存するＨＤＤ（Hard Disk Drive）４、ＲＯＭ９等を有している。また、ＰＣ１は、例えばＵＳＢ（Universal Serial Bus）インターフェース６、パラレル通信等を行うその他のインターフェース７、ＣＤ−ＲＯＭドライブやフロッピー（登録商標）ディスクドライブ等の各種ドライブ機器５を有している。インターフェース７には例えばキーボード２５、マウス２６、ディスプレイ２７等の操作機器が接続される。
【００２０】
符号１５はディジタルカメラであり、ＰＣ１はディジタルカメラ１５で撮像した例えば動画データ等も含む画像データをハードディスク４に記憶し保存することができる。なお、ここでは、ディジタルカメラ１５を例に挙げ画像データをＰＣ１に保存する場合について説明している。しかしこれに限らず、もちろん音楽ファイル等の音声のみのデータを保存することももちろん可能である。
【００２１】
メモリ装置１０には、例えば図示しない半導体メモリ等の記憶素子が内蔵され、ＵＳＢに対応した接続端子１１が設けられている。接続端子１１が、上記ＵＳＢインターフェース６が有するＵＳＢポート８に接続された状態で、ＰＣ１はメモリ装置１０にアクセスし、メモリ装置１０に記憶されたデータを読み出し、またはＰＣ１が有するデータをメモリ装置１０に書き込むことができる。メモリ装置１０としては、例えば可搬性のものでフラッシュメモリ（flash memory）を用いることができる。
【００２２】
ＣＤ−ＲＯＭ等の記録媒体１４には、再生プログラム１６、自動起動プログラム１７、データ書き込みプログラム１８、ドライバ１９、インストールプログラム２０等が記録されている。例えばユーザはこの記録媒体１４に記録された各プログラム１６〜２０をＰＣ１にコピーし、インストールすることで、各プログラム１６〜１９をＰＣ１上で用いることができるようになる。
【００２３】
再生プログラム１６はディジタルカメラ１５等で撮像した画像データ等を再生するためのプログラムである。再生プログラム１６は、例えばＧＵＩ（Graphical User Interface）を用いて画像データや音声データを再生するものである。自動起動プログラム１７は、メモリ装置１０の端子１１がＵＳＢポート８に接続されたことをＰＣ１が検出したとき、その検出信号に基づき再生プログラム１６を実行させるためのプログラムである。データ書き込みプログラム１８は、ディジタルカメラ１５で撮像した画像データをメモリ装置１０に書き込むためのプログラムである。ドライバ１９はメモリ装置１０をＰＣ１上で動作させるためのプログラムである。インストールプログラム２０は各プログラム１６〜１９をＰＣ１にインストールするためのプログラムである。
【００２４】
ここで、ＰＣ１のＯＳ２１の例として、例えばマイクロソフト（登録商標）社のWindows（登録商標）９５、９８、２０００、ＸＰ等が挙げられる。これらのＯＳは、例えばＵＳＢインターフェース６でのプラグアンドプレイ機能をサポートしている。プラグアンドプレイとは、例えばあるハードウェアがシステムに接続されると、システムがそのハードウェアからそのハードウェア固有の識別情報を取得し、その識別情報に対応するハードウェアのドライバを自動起動するものである。本実施の形態においては、例えば、ＰＣ１がそのハードウェア(例えば、メモリ装置１０）に対応するドライバ（ドライバ１９）がレジストリ２４に登録されていればそのドライバを自動起動する。一方、ＰＣ１がそのハードウェアに対応するドライバがレジストリ２４に登録されていなければ、最適なドライバを探してインストールするようＰＣ１が薦めたり、インストールプログラムを自動起動したりする。
【００２５】
次に、以上のように構成されたシステムの動作を説明する。図２はそのフローチャートを示す。
【００２６】
最初に、ＰＣ１は、ユーザがディジタルカメラ１５で撮像した画像データやビデオデータを予めハードディスク４に記憶しているものとする。そして、ユーザにより記録媒体１４に記録された各プログラム１６〜２０がＰＣ１のハードディスク４にコピーされ、各プログラム１６〜１９がインストールされることによりレジストリ２４に各プログラムの設定情報が登録される（ステップ２０１）。
【００２７】
なお、記録媒体１４に記録されたドライバ１９がＰＣ１にインストールされていない場合に、ユーザによりメモリ装置１０がＵＳＢインターフェース６に接続されると、上記したようにＣＰＵ２はプラグアンドプレイによりドライバ１９をインストールするよう指示する。
【００２８】
各プログラム１６〜１９をインストールした後、例えばユーザはＰＣ１に保存された上記画像データの一部または全部をメモリ装置１０に記憶する作業を行う（ステップ２０２）。この作業は、ステップ２０１でインストールされたデータ書き込みプログラム１８を用いて行われる。本実施の形態においては、このメモリ装置１０への書き込み作業を、例えば静止画ファイルの場合、その静止画を用いたスライドショーの作成作業とともに行う場合について説明する。
【００２９】
図３、図４及び図５はこの書き込み作業を行うときのディスプレイ２７に表示される画面を表したものである。ＣＰＵ２はデータ書き込みプログラム１８を立ち上げると図３に示すような基本画面３０を開く。例えば既に作成されたスライドショーファイルやビデオファイル３３があればそれらのファイルをボックス３１に表示する。ボックス３２には現在ユーザにより選択されているフォルダ内の画像ファイル３４を表示する。ユーザが例えばスライドショーのファイルを作成したいと思ったときはニュースライドショーボタン３５を押すことによりスライドショーファイル作成手順が開始される。なお、ファイル３３、３４等はアイコン化し、あるいは例えば画像を縮小化してユーザにわかりやすく表示している。
【００３０】
ユーザによりニュースライドショーボタン３５が押されると例えば図４に示すようなダイヤログボックス４０を開く。ユーザにより、フォルダツリーパネル４１から、作成したいスライドショーを構成するための画像ファイルを格納したフォルダが選択されると、そのフォルダの中身のファイル４３をファイルウィンドウ４２に表示する。そしてユーザにより、このファイルウィンドウ４２の中のファイル４３が選択され、ドラッグアンドドロップでイメージリストボックス４４に移動させられることでスライドショーに用いられる画像ファイルを決定する。また、選択されたスライドの削除、回転、スライド順等は、スライドショーツールボタン４５により行われる。さらに、バックミュージックボタン４６で、スライドショーのＢＧＭをあらかじめ記録媒体上に保存されている音楽から選択が可能となっている。また、ビデオファイル等の追加も、ユーザが図３に示した基本画面３０でアド・ビデオボタン３６をクリックすることでスライドショーの作成と同様の方法で行うことができる。そしてユーザによりＯＫボタン４７が押されると、スライドショーを構成するファイル、あるいはビデオファイルを確定し、これら確定したファイルを例えばＯＳ２１が有する一時フォルダ等に記憶する。そしてＣＰＵ２は図５に示すような画面５０を表示する。この画面５０では、ユーザにより例えばスタートボタン５１が押されることにより、スライドショーファイルを作成する。また作成したファイルや選択されたビデオファイルをメモリ装置１０に出力する。
【００３１】
ここで、スタートボタン５１が押されたとき、ＣＰＵ２は、ＵＳＢインターフェース６にメモリ装置１０が接続されているかどうか、すなわちＵＳＢポート８にメモリ装置１０の端子１１が接続されているかどうかを確認する（ステップ２０３）（図２参照）。メモリ装置１０が接続されていなければユーザに対しそれを接続するよう指示する（ステップ２０４）。メモリ装置１０が接続されていれば、ＣＰＵ２は、上記一時フォルダ等に格納されたスライドショーファイルやビデオファイルとともに、ハードディスク４に記憶された上記再生プログラム１６、自動起動プログラム１７、データ書き込みプログラム１８、ドライバ１９及びインストールプログラム２０をメモリ装置１０に出力する（ステップ２０５）。
【００３２】
以上は、画像ファイルのメモリ装置１０への書き込み作業をスライドショーファイルの作成作業とともに行う場合について説明した。しかしこれに限られず、スライドショーファイルを作成後、ユーザがそのファイルを一旦、ユーザが指定したフォルダであってＰＣ１のハードディスク４に保存するようにすることも可能である。また、ビデオファイルのみをメモリ装置１０に出力することももちろん可能である。
【００３３】
次に、ユーザがメモリ装置１０を用いてメモリ装置１０に記憶された上記スライドショーファイルやビデオファイルを再生する動作について説明する。図６はそのフローチャートを示す。
【００３４】
例えばユーザによりメモリ装置１０がＵＳＢインターフェース６に接続されると（ステップ６０１）、ＣＰＵ２はその接続を検出し、自動起動プログラム１７を用いて当該検出信号に基づきハードディスク４に記憶されたＧＵＩ機能を有する再生プログラム１６を実行する（ステップ６０２）。このときＧＵＩ機能によりディスプレイ２７に表示する画面を図７に示す。この図に示すように、初期画面６０では、例えば２つのスライドショーファイル６１、６２及びビデオファイル６３をアイコン化して表示している。そしてユーザによりある１つのファイルが選択されると、ＣＰＵ２は、ＵＳＢインターフェース６を介してメモリ装置１０にアクセスし、そのファイルを再生する（ステップ６０３）。
【００３５】
また、再生するファイルが音声のみの音楽ファイルである場合、ステップ６０１〜６０３と同様の動作で、例えば図８に示すＧＵＩ機能を有する再生プログラム１６を実行し、この再生プログラム１６を用いて当該音楽ファイルを再生する。
【００３６】
以上のように、本実施の形態では、一度ＰＣ１に再生プログラム１６と自動起動プログラムとをインストールするだけで、その後は、ＰＣ１のＵＳＢインターフェース６にメモリ装置１０が接続されたときに、自動的に再生プログラム１６を起動し、メモリ装置１０に記憶された画像データ等を再生することができる。つまり、例えばテレビのスイッチを入れる感覚で簡単に画像データ等の鑑賞することができ、非常に便利である。
【００３７】
また、本実施の形態では、例えばユーザが上記のようにメモリ装置１０に記憶された画像データ等を、ＰＣ１とは別の第２のＰＣ（図示せず）で再生し鑑賞したいと思ったときは、第２のＰＣは次のように処理することができる。例えばユーザにより、第２のＰＣが有するＵＳＢインターフェースにメモリ装置１０が接続されると、第２のＰＣはプラグアンドプレイによってそのメモリ装置１０を動作させるドライバを探す。第２のＰＣは、自身にドライバを有していないため、最適なドライバをインストールするよう薦める。そうすると、ユーザが第２のＰＣを操作することにより、メモリ装置１０に記憶されたドライバ１９をインストールするとともに、さらに再生プログラム１６及び自動起動プログラム１７を第２のＰＣにインストールする。このようなインストールはメモリ装置１０に記憶されたインストールプログラム２０を用いて行うことができる。あるいは、第２のＰＣは、自身にドライバを有していないときにメモリ装置１０にアクセスし、インストールプログラム２０を用い最適なドライバ（ドライバ１９）を自動的にインストールするようにしてもよい。その後は、再度メモリ装置１０をそのＵＳＢインターフェースに接続するだけで、自動起動プログラム１７によって再生プログラムを自動的に起動させることができ、画像データ等を再生することができる。
【００３８】
次に、本発明に係るシステムの他の実施の形態について説明する。
【００３９】
図９はその一例を示し、例えば上記ＰＣ１がＬＡＮ（Local Area Network）等のネットワーク６６を介して他の複数のＰＣ５５，５６，５７に接続され、データ通信が可能な状態となっている。このとき、ＰＣ１のハードディスク４にはＰＣ５５，５６，５７のそれぞれ固有の識別情報が記憶されている。例えばこのネットワーク６６がＴＣＰ／ＩＰ（Transmission Control Protocol / Internet Protocol）を用いたネットワークであれば識別情報はＩＰアドレスが用いられる。そして、例えば、ＰＣ１においてこれらＰＣ５５、５６、５７のうちの一部または全部の識別情報を予め設定し、その設定されたＰＣにデータを自動転送する、というソフトウェアをインストールしておくようにする。
【００４０】
このようなシステムにおいて、まず、例えばユーザによりＰＣ１のＵＳＢインターフェース６にメモリ装置１０が接続されたとする。そうするとＰＣ１は先の実施の形態で述べたように、その接続を検出し自動起動プログラム１７を用いて当該検出信号に基づき再生プログラム１６を起動する。そしてＰＣ１上で画像データ等を再生すると、ＰＣ１は上記ソフトウェアを用い、登録された所定のＰＣの識別情報を読み取り、そのＰＣに対し、再生する画像データを自動転送する。これらの画像データを受け取ったＰＣは予めインストールされた同じ再生プログラム１６を自動的に起動させ、当該受け取った画像データをＰＣ１とほぼ同時に再生する。この場合、ＰＣ５５，５６，５７には上述した記憶媒体１４から各プログラム１６〜１９をインストールしておく必要がある。あるいは図２におけるステップ２０５以降の状態にあるメモリ装置１０をＰＣ５５，５６，５７に接続して各プログラム１６〜１９をインストールしておいてもよい。
【００４１】
あるいは、ＰＣ１のＵＳＢインターフェース６にメモリ装置１０が接続されて再生プログラム１６を自動起動させたときに、ＰＣ１が識別情報を基にその識別情報に対応するＰＣに再生プログラム１６を自動起動させるための信号を出力するようにしてよもよい。そして、ＰＣ１が画像データを再生したタイミングとほぼ同時に、対応するＰＣで同じ画像データを再生するようにしてもよい。すなわち、上の例では、ＰＣ１が画像データを再生したときの信号を対応する所定のＰＣに出力するものであるが、この例では、ＰＣ１が再生プログラムを自動起動させたときの信号を対応する所定のＰＣに出力するものである。
【００４２】
また、メモリ装置１０に記憶された画像データのうちどのデータを転送するかについては予めＰＣ１で設定できるようにしてもよい。
【００４３】
以上のように、本実施の形態では、ＰＣ１で自動起動した再生プログラムをネットワーク６６に接続されたＰＣ５５，５６，５７でもほぼ同時に自動起動させることができ、さらにＰＣ１で再生した画像データをＰＣ５５，５６，５７でもほぼ同時に自動再生することができる。本実施の形態を例えばＬＡＮ環境を有する１つのオフィス等で適用すれば、複数の人がほぼ同時に画像データを閲覧することができ効果的である。
【００４４】
一方、図９に示す形態において、ネットワーク６６が例えばインターネット等である場合であって、例えばＰＣ５５が、個人が所有するウェブ上のサーバである場合について説明する。この場合、そのサーバ５５が提供するウェブサイトに、ＰＣ１のユーザが画像データ等を自動的にアップロードすることが可能となる。より具体的には、ユーザによりＰＣ１のＵＳＢインターフェース６にメモリ装置１０が接続されて再生プログラム１６を自動起動させたときに、ＰＣ１が接続検出信号に基づき所定のサーバ５５に、メモリ装置１０に記憶された画像データ等を自動的にアップロードすることができる。
【００４５】
また、図９に示す形態において、ネットワーク６６が例えばインターネット等である場合に、ＰＣ５６がウェブ上で画像データ等を保存するとうサービスを提供する、いわゆるオンラインストレージサービスのサーバである場合に、ＰＣ１がそのサーバ５６に自動転送し保存するようにしてもよい。
【００４６】
このような実施の形態によれば、例えばＰＣ１がラップトップ型のＰＣであれば、ユーザが野外で撮った写真画像や動画等をメモリ装置１０に記憶し、このメモリ装置１０をＰＣ１に接続して画像データをサーバ５５または５６に自動転送することができる。従来は手動でアップロードしていたが、このようにすれば非常に便利である。特に、写真画像や動画等のイメージファイルは自宅でない場所で撮像されることが多い。そのため、このように自動転送すれば、自宅でない場所でアップロードするといった面倒な作業する手間を省くことができる。
【００４７】
さらに、図９に示す形態において、ネットワーク６６が例えばインターネットまたはＬＡＮである場合であって、ＰＣ５７をバックアップサーバとしてもよい。この場合も、ＰＣ１が、ＵＳＢインターフェース６にメモリ装置１０が接続されて再生プログラム１６を自動起動させたときに、ＰＣ１が接続検出信号に基づき所定のバックアップサーバ５７に、メモリ装置１０に記憶された画像データ等を自動保存することができる。
【図面の簡単な説明】
【００４８】
【図１】本発明の一実施の形態に係るデータ処理システムの構成を示す図である。
【図２】図１に示すシステムの動作を示すフローチャートである。
【図３】メモリ装置にデータの書き込み作業を行うときのディスプレイに表示される画面の一例を示す図である。
【図４】メモリ装置にデータの書き込み作業を行うときのディスプレイに表示される画面の一例を示す図である。
【図５】メモリ装置にデータの書き込み作業を行うときのディスプレイに表示される画面の一例を示す図である。
【図６】画像データ等を再生する動作を示すフローチャートである。
【図７】ＧＵＩ機能付き再生プログラムの、ディスプレイに表示される画面の一例を示す図である。
【図８】ＧＵＩ機能付き再生プログラムの、ディスプレイに表示される画面の一例を示す図である。
【図９】本発明の他の実施の形態に係るデータ処理システムの構成を示す図である。
【符号の説明】
【００４９】
１…ＰＣ
２…ＣＰＵ
４…ＨＤＤ
６…ＵＳＢインターフェース
１０…メモリ装置
１１…接続端子
１４…記録媒体
１６…再生プログラム
１７…自動起動プログラム
１８…データ書き込みプログラム
１９…ドライバ
２０…インストールプログラム
５５，５６，５７…ＰＣ(サーバ)
６６…ネットワーク
【図１】
2005056237.tif 000003
【図２】
2005056237.tif 000004
【図３】
2005056237.tif 000005
【図４】
2005056237.tif 000006
【図５】
2005056237.tif 000007
【図６】
2005056237.tif 000008
【図７】
2005056237.tif 000009
【図８】
2005056237.tif 000010
【図９】
2005056237.tif 000011